(57)【要約】【課題】濾布や濾板あるいは周辺設備を腐食させることなく十分に洗浄することができるフィルタープレスの洗浄方法を提供する。【解決手段】ＥＤＴＡ又はその塩とアルカノールアミンとを含む洗浄液によりフィルタープレスを洗浄する。アルカノールアミンとしてはトリエタノールアミンが好適である。ＥＤＴＡの塩としてはＥＤＴＡ四ナトリウム塩が好適である。洗浄液は懸濁物質を含んでもよい。【選択図】なし【特許請求の範囲】
【請求項１】
濾布と、該濾布を保持した濾板とを有するフィルタープレスの該濾布及び濾板を洗浄液により洗浄するフィルタープレスの洗浄方法において、
該洗浄液はＥＤＴＡ又はその塩とアルカノールアミンとを含んでいることを特徴とするフィルタープレスの洗浄方法。
【請求項２】
請求項１において、アルカノールアミンはトリエタノールアミンであることを特徴とするフィルタープレスの洗浄方法。
【請求項３】
請求項１又は２において、前記洗浄液は懸濁物質を含んでいることを特徴とするフィルタープレスの洗浄方法。
【発明の詳細な説明】
【技術分野】
【０００１】
本発明は、フィルタープレスの濾布及び濾板を洗浄液により洗浄するフィルタープレスの洗浄方法に係り、特に炭酸カルシウム等のスケールが付着したフィルタープレスの洗浄方法に関する。
【背景技術】
【０００２】
汚泥等の脱水にフィルタープレスが広く用いられている。このフィルタープレスの濾板に閉塞・滞留が生じてくると、濾布の破れや、脱水効率の悪化を引き起こすため、頻繁に清掃を実施する必要がある。フィルタープレスの清掃には多量の洗浄水が必要であり、多額の費用がかかるため、課題となっていることが多い。フィルタープレスには、濾布や濾板を洗浄するための装置が組み込まれているが、十分でない場合が多い。また、その洗浄装置には、濾板上方から下方に向けて洗浄水を濾布に噴射するものがあるが、濾板を洗浄するよりも濾布を洗浄するものであるため、濾板の洗浄に対しては不十分な場合がある。
【０００３】
特許文献１，２には、酸性の洗浄剤を含んだ洗浄液によりフィルタープレスの濾過ユニットを洗浄することが記載されている。特許文献１では、この酸性の洗浄剤を含んだ洗浄液を濾過ユニット内に充満させ、所定時間放置することにより、濾布や濾板に付着した炭酸カルシウム等のスケールを溶解させる。
【０００４】
タンク、配管等の硬表面洗浄剤としてＥＤＴＡ又はＬ−アスパラギン酸−Ｎ，Ｎ−二酢酸アルカリ金属塩とアルカリ金属水酸化物とからなる組成物が知られている（特許文献３）。
【先行技術文献】
【特許文献】
【０００５】
【特許文献１】特開昭６１−２２２５１３
【特許文献２】実開平５−９６０７
【特許文献３】特開平９−１７６６９４
【発明の概要】
【発明が解決しようとする課題】
【０００６】
上記特許文献１，２では、洗浄液が酸性の洗浄剤を含んでいるため、この洗浄液との接触により濾布や濾板あるいは周辺設備を腐食させるおそれがある。また、酸性洗浄剤を用いると、溶出した鉄イオンが中和工程で水酸化鉄として析出し、濾布を目詰りさせることがある。
【０００７】
キレート剤を含む洗浄剤を用いた場合も、水酸化鉄が析出し、濾布を目詰りさせることがある。
【０００８】
本発明は、濾布や濾板あるいは周辺設備を腐食させることなく十分に洗浄することができ、また、水酸化鉄による濾布の目詰りも防止されるフィルタープレスの洗浄方法を提供することを目的とする。
【課題を解決するための手段】
【０００９】
本発明のフィルタープレスの洗浄方法は、濾布と、該濾布を保持した濾板とを有するフィルタープレスの該濾布及び濾板を洗浄液により洗浄するフィルタープレスの洗浄方法において、該洗浄液はＥＤＴＡ又はその塩とアルカノールアミンとを含んでいることを特徴とするものである。
【発明の効果】
【００１０】
本発明のフィルタープレスの洗浄方法においては、洗浄液は、洗浄剤としてＥＤＴＡ又はその塩を含んでいるため、この洗浄液との接触により濾布や濾板が腐食することが十分に防止ないし抑制され、且つ、濾布や濾板に付着した炭酸カルシウム等のスケールを洗浄液によって十分に溶解除去することができる。
【００１１】
また、本発明では、洗浄剤がアルカノールアミンを含んでおり、このアルカノールアミンの作用により水酸化鉄の発生を防止ないし抑制することができる。これは、アルカノールアミンが鉄イオンと配位結合して水酸化鉄の析出を防止又は抑制するためであると推察される。
【発明を実施するための形態】
【００１２】
以下、本発明の実施の形態について説明する。
【００１３】
本発明方法に用いられる洗浄液は、ＥＤＴＡ又はその塩とアルカノールアミンとを含む。
【００１４】
ＥＤＴＡの塩としては、ＥＤＴＡ四ナトリウム塩（ＥＤＴＡ−４Ｎａ・４Ｈ２Ｏ）、ＥＤＴＡ四カリウム塩（ＥＤＴＡ−４Ｋ）などが好適である。ＥＤＴＡ又はその塩よりなるキレート剤を含む洗浄液を用いることにより、濾布や濾板に付着した炭酸カルシウム等のスケールを効果的に溶解除去することができる。なお、ＥＤＴＡとＥＤＴＡの塩とを併用してもよい。
【００１５】
洗浄液中のキレート剤（ＥＤＴＡ又はその塩）の濃度は０．１〜２０重量％（以下、ｗｔ％と略記することがある。）特に１〜１０重量％が好ましい。なお、このキレート剤の濃度は、濾布及び濾板に付着したスケール量に応じて適宜変更される。
【００１６】
この洗浄液にはさらにアルカノールアミンを含有させる。アルカノールアミンとしては炭素数２〜９のアルカノールのアミン、具体的にはモノエタノールアミン、ジエタノールアミン、トリエタノールアミン、Ｎ−メチル−ジエタノールアミン、Ｎ，Ｎ−ジメチルモノエタノールアミンなどが好適である。洗浄液中のアルカノールアミンの濃度は０．０１〜１０ｗｔ％特に０．１〜５ｗｔ％程度が好ましい。このアルカノールアミンを添加しておくことにより、水酸化鉄の析出が防止ないし抑制され、濾布の水酸化鉄による目詰りが防止される。この機構については、前述の通り、アルカノールアミンが鉄イオンと配位結合して水酸化鉄の析出が防止ないし抑制されるものであると推察される。
【００１７】
この洗浄液のベースとなる液（キレート剤にとっての溶媒）としては、水が好適である。
【００１８】
本発明では、洗浄液が懸濁物質を含んでもよい。懸濁物質としては、砂（特に珪砂）、砕石粉、転炉スラグ、珪藻土等が好適である。懸濁物質を含むスラリーとして転炉集塵水シックナーから引き抜かれた鉄を主体とするスラリーを用いてもよい。スラリーが鉄含有スラリーである場合、アルカノールアミンはこのスラリーに対し０．１〜３０ｗｔ％の割合で添加されることが好ましい。
【００１９】
懸濁物質の平均粒径は０．１〜５００μｍ特に１０〜１００μｍであることが好ましい。懸濁物質の洗浄液への添加量は固形分量として１０〜４００ｇ／Ｌ特に２００〜３００ｇ／Ｌであることが好ましい。
【００２０】
洗浄液に懸濁物質を含有させておくことにより、従来の洗浄液に比べて、この洗浄液を濾布及び濾板に接触させたときに、該濾布及び濾板の表面や該濾布の内部に洗浄液が滞留しやすくなる。そのため、比較的少ない洗浄液使用量であっても、十分に濾布及び濾板の全体に洗浄液を接触させることができる。この結果、比較的少ない洗浄液使用量であっても十分に且つ効率よく濾布及び濾板を洗浄することができる。
【００２１】
本発明方法において用いられる洗浄液には、必要に応じてその他の添加剤（例えば凝集剤、界面活性剤、スケール防止剤等）を添加してもよい。
【００２２】
次に、本発明方法によるフィルタープレスの洗浄手順について説明する。
【００２３】
まず、例えば溶解槽内で攪拌機を用いてキレート剤、アルカノールアミン及び溶媒（並びに必要に応じ懸濁物質や添加剤）を混合し、濾布及び濾板へのスケール付着量等に応じて適宜、各成分の濃度を調整し、洗浄液を製造する。次に、この洗浄液を、スラリー供給流路及びスラリーポンプを介してフィルタープレスに圧入する。これにより、洗浄液がフィルタープレス内を流れ、濾布や濾板に付着した炭酸カルシウム等のスケールを溶解させる。その際、キレート剤中の窒素原子及び酸素原子がカルシウムイオンと配位結合することにより、濾布及び濾板に付着した炭酸カルシウム等のスケールが溶解する。
【００２４】
このフィルタープレスへの洗浄液供給システムは、フィルタープレスを透過してきた濾液をフィルタープレスの上流側に戻し、再度ポンプによりフィルタープレスに圧入するように構成されていることが好ましい。このように洗浄液を循環させて繰り返しフィルタープレスに供給することにより、薬剤成分を無駄なく利用することができる。
【００２５】
フィルタープレスの洗浄時間は１〜２４時間特に３〜１０時間であることが好ましい。
【００２６】
フィルタープレスの洗浄の間、スケールの溶解に伴って洗浄液中のキレート剤やアルカノールアミンが消耗するので、適宜キレート剤やアルカノールアミンを洗浄液に追加する。
【実施例】
【００２７】
以下、実施例及び比較例について説明する。
【００２８】
以下の試験では、下記（１）〜（３）の洗浄剤と、スラリーと、下記（ａ）〜（ｄ）の添加剤とを用いた。  
（１）  ＥＤＴＡ−４Ｎａ・４Ｈ２Ｏ  
（２）  Ｌ−アスパラギン酸−Ｎ，Ｎ−二酢酸四ナトリウム  
（３）  ＥＤＴＡ  
スラリー：転炉集塵水シックナー引き抜き後の鉄を主体としたスラリー（ＳＳ濃度：２５ｗ／ｖ％）
（ａ）  トリエタノールアミン
（ｂ）  ヒドロキシエチルイミノ二酢酸二ナトリウム
（ｃ）  Ｎ−メチル−ジエタノールアミン
【００２９】
［洗浄剤を添加したスラリーの濾布に対する影響試験］
下記方法により洗浄剤を添加したスラリーの濾布に対する影響を試験した。
【００３０】
実施例１
洗浄剤（１）及び添加剤（ａ）をそれぞれ濃度１０ｗｔ％となるように上記スラリーに添加して洗浄液とした。
【００３１】
比較例１
洗浄剤（１）及び添加剤（ｂ）をそれぞれ濃度１０ｗｔ％となるように上記スラリーに添加して洗浄液とした。
【００３２】
比較例２
洗浄剤（２）及び添加剤（ｂ）をそれぞれ濃度１０ｗｔ％となるように上記スラリーに添加して洗浄液とした。
【００３３】
比較例３（添加剤無添加）
洗浄剤（１）のみを濃度１０ｗｔ％となるように上記スラリーに添加して洗浄液とした。
【００３４】
比較例４（添加剤無添加）
洗浄剤（２）のみを濃度１０ｗｔ％となるように上記スラリーに添加して洗浄液とした。
【００３５】
比較例５（純水のみ）
洗浄剤、添加剤及びスラリーをいずれも使用せず、純水のみを用いた。
【００３６】
実施例２
洗浄剤（３）及び添加剤（ａ）をそれぞれ濃度１０ｗｔ％となるように上記スラリーに添加して洗浄液とした。
【００３７】
実施例３
洗浄剤（１）及び添加剤（ｃ）をそれぞれ濃度１０ｗｔ％となるように上記スラリーに添加して洗浄液とした。
【００３８】
試験方法は次の通りである。  
i）  洗浄液１００ｇを１００ｍＬビーカーに投入する。（比較例５では純水１００ｇのみを投入する。）
ii）  この液を１８時間撹拌する。  
iii）  新品の濾布を用いて、撹拌後の液の減圧濾過時間を測定する。
【００３９】
減圧濾過時間の測定結果を表１に示す。
【００４０】
［濾板に付着したスケールの溶解試験］
上記実施例１〜３、比較例１〜５の液を用いて（ただし比較例５は純水のみ）使用済み濾板を洗浄し、洗浄効果を観察した。  
【００４１】
洗浄方法は次の通りである。  
１）  上記各洗浄液１００ｇを１００ｍＬビーカーに投入する。（比較例５では純水１００ｇのみを投入する。）
２）  スケールが付着した濾板を１０５℃で２時間乾燥させ、乾燥スケールが０．５ｇ付着したテストピースとする。  
３）  各テストピースをスケールが全浸漬状態となるように１）のビーカー内に固定し、１８時間撹拌する。  
４）  撹拌後、テストピースを取り出し、１０５℃で２時間乾燥させる。  
５）  乾燥後、テストピースの重量を測定し、スケールの重量溶解率（ｗｔ％）を計算する。
【００４２】
結果を表１に示す。
【００４３】
【表１】
2013240769.tif 000002
【００４４】
表１より明らかな通り、ＥＤＴＡ又はその塩、懸濁物質およびアルカノールアミンを含んだ洗浄液により、濾布を詰まらせることなくフィルタープレスの濾布および濾板全体を洗浄することができる。